(57)【要約】      （修正有）【課題】分析効率の低下を抑制することができる自動分析装置を提供する。【解決手段】検体に試薬を混合し、混合物を分析することにより検体の成分を測定する分析ユニット１００を有する自動分析装置において、制御装置１８により、分析結果に異常の生じる恐れが無いかどうかを複数の判定項目について検体ごとに判定し、その判定結果に基づいて検体の分析に係る分析ユニット１００や分析項目のマスク（一時停止）処理を行い、マスクの要因となった判定項目を記憶装置２３に記憶し、マスクの要因となった判定項目を表示装置２５に表示する。【選択図】図１
2013140103.tif 000002
【特許請求の範囲】
【請求項１】
検体に試薬を混合し、混合物を分析することにより検体の成分を測定する分析手段を有する自動分析装置において、
分析結果に異常の生じる恐れが無いかどうかを複数の判定項目について検体ごとに判定し、その判定結果に基づいて前記検体の分析に係る分析手段や分析項目の一時停止処理を行う制御手段と、
前記一時停止処理の要因となった判定項目を記憶する記憶手段と、
前記一時停止処理の要因となった判定項目を表示する表示手段と
を備えたことを特徴とする自動分析装置。
【請求項２】
請求項１記載の自動分析装置において、
前記表示手段は、前記一時停止処理の要因となった判定項目と、その要因の解消方法とを関連付けて表示することを特徴とする自動分析装置。
【請求項３】
請求項１記載の自動分析装置において、
前記表示手段は、前記一時停止処理の要因となった判定項目と、その要因の解消方法と、その要因の解消の有無を関連付けて表示することを特徴とする自動分析装置。
【発明の詳細な説明】
【技術分野】
【０００１】
本発明は、血液や尿などの試料の定性・定量分析を行う自動分析装置に関する。
【背景技術】
【０００２】
例えば、特許文献１（特開２００７−４０８８３号広報）には、血液や尿などの試料（以下、検体と称する）の定性・定量分析を行う臨床検査の現場において用いられる自動分析装置として、一時停止（以降、マスクと称する）機能を備えたものが開示されている。
【０００３】
このマスク機能とは、主に分析結果の信頼性を維持するための機能である。例えば、複数の分析ユニットを有する自動分析装置において、分析結果が不安定となってしまった場合に、その原因となった特定の分析ユニットをマスクして、分注機構の調整や、反応機構の洗浄などのメンテナンスを行うものである。また、試薬が不足したり、校正物質の分析結果が異常値を示したりした場合に、関連する分析項目の実行をマスクし、その間に試薬の交換や校正物質の再測定を実施して、分析結果が安定した後に、関連項目の分析を再開するものも知られている。
【先行技術文献】
【特許文献】
【０００４】
【特許文献１】特開２００７−４０８８３号広報
【発明の概要】
【発明が解決しようとする課題】
【０００５】
上記従来技術における自動分析装置においては、オペレータが準備した大量の検体が装置へ投入され順次分析が行われていくが、この検体投入の際に各検体のそれぞれについてマスクが必要な分析ユニットや分析項目が無いかどうかを判定している。
【０００６】
しかしながら、上記従来技術においては、マスクが実施された場合、対象の検体ごとにマスクが実施されたことはオペレータに報知されるが、そのマスクの要因については報知されない構成となっている。
【０００７】
したがって、何らかのマスクが実行された場合、オペレータは、経験や勘などの不確かな情報に基づいてマスク要因となりうる事項の１つ１つを検証し、マスク要因の解消に努めなければならず、分析効率が著しく低下する恐れがあった。
【０００８】
本発明は上記に鑑みてなされたものであり、分析効率の低下を抑制することができる自動分析装置を提供することを目的とする。
【課題を解決するための手段】
【０００９】
上記目的を達成するために、本発明は、検体に試薬を混合し、混合物を分析することにより検体の成分を測定する分析手段を有する自動分析装置において、分析結果に異常の生じる恐れが無いかどうかを複数の判定項目について検体ごとに判定し、その判定結果に基づいて前記検体の分析に係る分析手段や分析項目の一時停止処理を行う制御手段と、前記一時停止処理の要因となった判定項目を記憶する記憶手段と、前記一時停止処理の要因となった判定項目を表示する表示手段とを備えたものとする。
【発明の効果】
【００１０】
本発明によれば、分析効率の低下を抑制することができる。
【図面の簡単な説明】
【００１１】
【図１】一実施の形態に係る自動分析装置の全体構成を示す図である。
【図２】表示装置に表示される分析結果画面の一例を示す図である。
【図３】表示装置に表示されるマスク要因画面の一例を示す図である。
【図４】マスク要因解消の手順を示すフローチャートである。
【発明を実施するための形態】
【００１２】
本発明の一実施の形態を図面を参照しつつ説明する。
図１は、本実施の形態に係る自動分析装置の全体構成を概略的に示す図である。
【００１３】
図１において、自動分析装置は、複数の分析ユニット１００，・・・と、インタフェース１９により接続された、制御装置１８、入力装置２２、表示装置２５、記憶装置２３、メモリ装置１１、及び出力装置２４とから概略構成されている。なお、本実施の形態では、分析ユニット１００のみを代表して示し、その他の分析ユニットの図示及び説明は省略する。
【００１４】
分析ユニット１００は、間欠回転可能に設けられた検体ディスク５、試薬ディスク１３、及び、反応ディスク１と、検体の分注を行う検体分注機構７と、試薬の分注を行う試薬分注機構１２と、反応液の測定を行う測定部４０とを備えている。
【００１５】
検体ディスク５には、自動分析装置の分析対象である血液や尿などの試料（以下、検体と称する）が収容された複数の検体容器６が周方向に並べて配置されている。この検体ディスク５は、図示しない回転駆動機構により周方向に回転駆動され、所定の位置に停止可能である。また、検体ディスク５には、各検体容器６に設けられた検体識別情報を読み取る検体識別情報読取装置３５が設けられており、読み取った識別情報は、検体ディスク５の周方向のポジション情報とともにインタフェース１９を介して制御装置１８に送られ、記憶装置２３及びメモリ装置１１に記憶される。
【００１６】
試薬ディスク１３は、試薬保管庫９内に配置されており、分析処理の処理項目に対応した複数の試薬容器１０が周方向に並べて配置されている。試薬ディスク１３は、図示しない回転駆動装置により周方向に回転駆動され、所定の位置に停止可能である。また、試薬ディスク１３には、各試薬容器１０に設けられた試薬識別情報を読み取る試薬識別情報読取装置３４が設けられており、読み取った識別情報は、試薬ディスク１３の周方向のポジション情報とともにインタフェース１９を介して制御装置１８に送られ、記憶装置２３及びメモリ装置１１に記憶される。
【００１７】
反動ディスク１は、図示しない恒温維持装置によって所定の温度に制御された恒温槽３内に配置されており、分析対象試料（検体）と試薬とを混合するための複数の反応容器２が周方向に並べて配置されている。反応ディスク１は、図示しない回転駆動装置により周方向に回転駆動され、所定の位置に停止可能である。反応容器２は、反応ディスク１の回転により検体の分注位置に移動されて検体分注機構７により検体が分注され、試薬の分注位置に移動されて試薬分注機構１２により試薬が分注され、図示しない攪拌機構により攪拌される。検体分注機構７の動作は検体分注機構制御部２０により制御され、試薬分注機構１２の動作は試薬分注機構制御分２１により制御される。
【００１８】
反応ディスク１には、反応容器２に収容された検体と試薬との混合液（反応液）に対して測定処理を行う測定部４０が設けられている。測定部４０は、反応容器２に対して測定光を照射する光源１４（例えば、ＬＥＤ：Light Emitting Diode）と、反応容器２からの透過光および散乱光を検出する測光部１５とを有しており、反応ディスク１の回転動作によって光源１４と測光部１５の間を反応容器２が通過するときに透過光および散乱光の測定を行う。測光部１５での測定結果（アナログ信号）はＡ／Ｄ変換器１６によりディジタル変換され、インタフェース１９を介して制御装置１８に送られる。
【００１９】
測定の終了した混合反応液が収容された反応容器２は洗浄位置で洗浄機構１７により洗浄処理される。
【００２０】
制御装置１８、入力装置２２、表示装置２５、記憶装置２３、メモリ装置１１、及び出力装置２４は、インタフェース１９を介して複数の分析ユニット１００，・・・に共通に接続されている。入力装置２２はキーボードなどの入力手段であり、表示装置２５はＣＲＴディスプレイなどの表示手段であり、記憶装置２３はハードディスクなどの記憶手段であり、メモリ装置１１は外部メモリなどの記憶手段であり、出力装置２４はプリンタなどの出力手段である。記憶装置２３には、分析に用いる制御プログラムや分析パラメータのほか、分析結果、分析依頼項目内容、キャリブレーション結果などの情報が記憶されている。
ここで、本実施の形態に係る自動分析装置の分析処理の流れについて説明する。
【００２１】
分析処理の対象となる各検体の測定依頼情報は、表示装置２５や入力装置２２などにより入力され、記憶装置２３に記憶される。
【００２２】
この状態で、分析対象の検体が収容された検体容器６が検体ディスク５に収容されると、検体識別情報読取装置３５により検体識別情報が取得され、制御装置１８により検体に対応する測定依頼情報が記憶装置２３から読み出される。
【００２３】
次に、制御装置１８は、取得した測定依頼情報に基づいて、マスク（一時停止）判定処理を行う。マスク判定処理とは、分析結果に異常の生じる恐れが無いかどうかを予め定めた複数の判定項目について検体ごとに判定するものであり、その判定結果に基づいて、その検体の分析に係る一部の分析ユニットや分析項目のマスク（一時停止）処理を行う。
【００２４】
マスク判定処理において、複数の分析ユニットの少なくとも一部では、安定した結果が得られなくなったと判定されると、その分析ユニットをマスク（一時停止）し、分注機構の調製や反応機構の洗浄などのメンテナンスの対応待ちとなる。また、分析対象検体の分析処理に対応する試薬の不足、或いは校正物質の測定結果が異常値を示した場合などには、その試薬や校正物質に関する分析項目をマスク（一時停止）し、試薬の交換や校正物質の再測定などの対応待ちとなる。
【００２５】
マスク判定処理におけるマスク情報（マスクの要因（マスク要因）となった判定項目）は、記憶装置１８に記憶され、必要に応じて表示装置２５に表示される。
【００２６】
また、マスク判定処理において、マスク（一時停止）対象の分析ユニットや測定項目が無い場合は、所定の分析ユニットにおいて指定された分析項目に関する分析処理が実施される。分析結果は、記憶装置１８に記憶され、必要に応じて表示装置２５に表示される。
【００２７】
図２は、表示装置に表示される分析結果画面の一例を示す図であり、図３はマスク要因画面の一例を示す図である。
【００２８】
図２に示すように、分析結果画面２００は検体ごとに表示されるものであり、検体試料ＩＤ２０１によって分析結果の対象検体を表示している。分析結果画面２００には、分析項目名２０２と、各分析項目に対応する測定値２０３、ユニット識別２０４、時刻２０５、及び、分析状況２０６が一覧形式で表示されている。また、分析結果画面２００には、その検体の詳細情報を表示させる検体試料情報ボタン２０７と、分析処理に関する試薬の情報を表示する試薬情報ボタン２０８と、反応過程の情報を表示する反応過程ボタン２０９と、図示しないカーソル等により選択した項目名に対応するマスク要因を表示するマスク要因表示ボタン２１０と、分析結果画面を閉じるキャンセルボタン２１１とが設けられている。
【００２９】
分析結果画面２００において、マスク要因表示ボタン２１０が選択されると、図３に示すマスク要因画面３００が表示される。
【００３０】
図３に示すように、マスク要因画面３００には、マスク要因名（マスク要因となった判定項目）を示すマスク要因３０１と、各マスクの有無を示すマスク有無３０２と、各マスクの解消法を示す解消法３０３と、各マスクの解消の有無を示す解消チェック３０４とが一覧形式で表示されており、内容確認して画面を閉じるＯＫボタン３０５が設けられている。
【００３１】
ここで、マスク要因解消の手順を図４を参照しつつ説明する。図４は、マスク要因解消の手順を示すフローチャートである。
【００３２】
オペレータは、まず、表示装置２５において分析結果画面２００を開き分析結果を確認する（ステップＳ１００）、続いて、マスク実施の項目の有無を確認し（ステップＳ１１０）、マスク実施の項目が無い場合（ＮＯの場合）は、マスク要因解消を終了する。また、ステップＳ１１０において、マスク実施の項目が有る場合（ＹＥＳの場合）は、その分析項目を選択してマスク要因画面３００を開く（ステップＳ１２０）。次に、要因未解消のマスク項目が有るかどうかを確認し（ステップＳ１３０）、対象項目が無い場合（ＮＯの場合）は、マスク要因解消を終了する。また、ステップＳ１３０において、要因未解消のマスク項目が有る場合（ＹＥＳの場合）は、対応する解消法に基づいてマスク要因の解消を実施し（ステップＳ１３１）、要因未解消のマスク項目が無くなるまで、ステップＳ１２０，Ｓ１３１を繰り返す。
【００３３】
以上のように構成した本実施の形態の効果を説明する。
【００３４】
従来技術の自動分析装置のマスク機能においては、オペレータが準備した大量の検体が装置へ投入され順次分析が行われていくが、この検体投入の際に各検体のそれぞれについてマスクが必要な分析ユニットや分析項目が無いかどうかを判定している。しかしながら、上記従来技術においては、マスクが実施された場合、対象の検体ごとにマスクが実施されたことはオペレータに報知されるが、そのマスクの要因については報知されない構成となっている。したがって、何らかのマスクが実行された場合、オペレータは、経験や勘などの不確かな情報に基づいてマスク要因となりうる事項の１つ１つを検証し、マスク要因の解消に努めなければならず、分析効率が著しく低下する恐れがあった。
【００３５】
これに対し、本実施の形態においては、分析結果に異常の生じる恐れが無いかどうかを複数の判定項目について検体ごとに判定し、その判定結果に基づいて検体の分析に係る分析手段や分析項目の一時停止処理を行う制御装置１８と、一時停止処理の要因となった判定項目を記憶する記憶装置２３と、一時停止処理の要因となった判定項目を表示する表示装置２５とを備える構成としたので、何らかのマスクが実行された場合においても、オペレータは、容易にマスク要因を特定することが可能となったので、マスク要因の解消が容易になり、したがって、分析効率の低下を抑制することができる。
【００３６】
また、マスク要因は、順次分析を行っていくなかで刻一刻と変化するものであり、分析から時間が経過するにつれて要因が究明し辛くなるものであり、その場合にはオペレータによる原因究明が困難となり、専門の部門や外部業者等への問い合わせ等が必要となってしまい、分析効率の著しい低下が懸念されるが、本実施の形態においては、マスク要因を記憶・表示するように構成したので、分析効率の低下を抑制することができる。
【符号の説明】
【００３７】
１  反動ディスク
２  反応容器
３  恒温槽
７  検体分注機構
１１  メモリ装置
１２  試薬分注機構
１４  光源
１５  測光部
１６  Ａ／Ｄ変換器
１８  制御装置
１９  インタフェース
２０  検体分注機構制御部
２１  試薬分注機構制御分
２２  入力装置
２３  記憶装置
２４  出力装置
２５  表示装置
４０  測定部
２００  分析結果画面
３００  マスク要因画面
【図１】
2013140103.tif 000003
【図２】
2013140103.tif 000004
【図３】
2013140103.tif 000005
【図４】
2013140103.tif 000006